(57)【要約】【課題】腕部という複雑な駆動部により駆動される風向変更羽根を、精度よく所定の運転位置に移動させることにより、所望の気流を構築し、より快適性が向上した空気調和機を提供することを目的とする。【解決手段】変動可能な腕部３１と、この腕部３１を介することで、吹出口６から吹出す上下方向の風向を制御する風向変更羽根３０と、腕部３１を駆動する第１の駆動手段３４と、風向変更羽根３０を駆動する第２の駆動手段３５と、少なくとも第１、第２の駆動手段３４、３５の駆動を制御する駆動手段制御部とを具備し、駆動手段制御部が第１の駆動手段３４と第２の駆動手段３５とを駆動することで、風向変更羽根３０が所定の運転位置へと移動する場合、風向変更羽根３０が基準とする基準位置へ移動した後、所定の運転位置へと移動することが可能となる。【選択図】図１
2008122003.tif 000002
【特許請求の範囲】
【請求項１】
変動可能な腕部と、この腕部を介することで、吹出口から吹出す上下方向の風向を制御する風向変更羽根と、前記腕部を駆動する第１の駆動手段と、前記風向変更羽根を駆動する第２の駆動手段と、少なくとも前記第１、第２の駆動手段の駆動を制御する駆動手段制御部とを具備し、前記駆動手段制御部が前記第１の駆動手段と前記第２の駆動手段とを駆動することで、前記風向変更羽根が所定の運転位置へと移動する場合、前記風向変更羽根が基準とする基準位置へ移動した後、前記所定の運転位置へと移動することを特徴とする空気調和機。
【請求項２】
前記基準位置は、前記腕部と前記風向変更羽根とが当接する位置としたことを特徴とする請求項１に記載の空気調和機。
【請求項３】
前記基準位置は、前記吹出口に設けた第１の当て部と前記風向変更羽根とが当接する位置としたことを特徴とする請求項１に記載の空気調和機。
【発明の詳細な説明】
【技術分野】
【０００１】
本発明は、空気調和機に関するものであり、室内機に設けた風向変更羽根を精度よく所定の位置に移動することに関する。
【背景技術】
【０００２】
従来より、使用者、いわゆる顧客からの要望として、空気調和機による快適性向上というものがある。
【０００３】
代表的なものとしては、暖房運転時において、使用者の足元へ如何に温風を届けるのか、という技術的課題につながっている。
【０００４】
また、冷房運転時には、人に直接冷風を当てることのない、いわゆる気流感のない空調が望まれている。
【０００５】
一般的に、空気調和機の室内機から吹出す風の流れ（いわゆる「気流」）を任意の方向に向けるためには、室内機の吹出口近傍に設ける風向変更羽根の大きさ、具体的には風の流れを方向付けるために吹出す風の流れに沿う風向変更羽根の面積を大きくすればよいことが知られている。
【０００６】
また、その目的を実現する手段として、風向変更羽根を複数枚設けるものや、標準的な風向変更羽根の面積よりも大きなものを用いるなどした空気調和機が種々提案されている。
【０００７】
近年、上記した課題を解決するものとして、室内機に設けた吹出口において、変動可能な腕部を介して上下方向の風向を制御する風向変更羽根を具備するものが提案されている（以下、「腕部を有する空気調和機」と記す）。
【０００８】
その結果、冷房時には気流感がなく、暖房時には頭寒足熱を実現することで快適な住環境を創り出す空気調和機が実現できるというものである。（例えば特許文献１参照）。
【特許文献１】特開２００２−３１４００号公報
【発明の開示】
【発明が解決しようとする課題】
【０００９】
ところで、広く従来から用いられている空気調和機では、風向変更羽根は室内機の吹出口、いわゆる筐体を構成する部材（以下、「基盤」と記す）の一部に取付けられており、風向変更羽根を回動するだけで、所定の方向に対する気流を導くことが可能であった。
【００１０】
しかしながら、上記した腕部を有する空気調和機では、風向変更羽根の回転動作に加えて、この風向変更羽根を吹出口に対して前後、あるいは上下させる腕部の動作が加わるため、次のような困難さがあった。
【００１１】
つまり、モータなどを用いて可動する部分が複数となるので、所定位置に風向変更羽根を位置させるための各部の制御が相互に影響を及ぼすため、複雑になるという課題を有していた。
【００１２】
特に、空気調和機として稼働している状態、すなわち、吹出口から風が出ている最中に、風向変更羽根の羽根角度の変更や、冷房運転から暖房運転への運転モード切替に伴う風
向変更羽根の動作位置の変更が発生した場合、風向変更羽根に対して風力を受けながらの変更となり、次のような課題を有していた。
【００１３】
すなわち、各運転モード、運転時の風量に加え、室内機各々が設置されている居室の大きさや、設置位置など、不確定な要素が多く、一義的に補正値を設定して対応することは困難であるという課題があった。
【００１４】
本発明は、このような従来の課題を解決するものであり、空気調和機の運転時において、風向変更羽根を精度よく所定の位置に移動させることにより、所望の気流を構築し、より快適性が向上した空気調和機を提供することを目的とするものである。
【課題を解決するための手段】
【００１５】
上記目的を達成するために、本発明の空気調和機は、変動可能な腕部と、この腕部を介することで、吹出口から吹出す上下方向の風向を制御する風向変更羽根と、腕部を駆動する第１の駆動手段と、風向変更羽根を駆動する第２の駆動手段と、少なくとも第１、第２の駆動手段の駆動を制御する駆動手段制御部とを具備し、駆動手段制御部が第１の駆動手段と第２の駆動手段とを駆動することで、風向変更羽根が所定の運転位置へと移動する場合、風向変更羽根が基準とする基準位置へ移動した後、所定の運転位置へと移動するというものである。
【００１６】
本構成とすることで、風向変更羽根の駆動手段として腕部を設けるという複雑な構成を有する空気調和機においても、安定した変更風向羽根の動作を得ることが可能となる。
【発明の効果】
【００１７】
本発明の空気調和機は、所定の運転位置へと風向変更羽根が移動する場合、この風向変更羽根が基準とする基準位置を経由して所定の運転位置へと移動することとしたので、事前の運転条件に拘らず、快適な気流を創造するために必要とされる風向変更羽根の高精度な移動、設置が可能となった。
【００１８】
その結果、使用者が望む気流を創造することができるので、より快適性が向上した空気調和機を提供することが可能となる。
【発明を実施するための最良の形態】
【００１９】
第１の発明は、変動可能な腕部と、この腕部を介することで、吹出口から吹出す上下方向の風向を制御する風向変更羽根と、前記腕部を駆動する第１の駆動手段と、前記風向変更羽根を駆動する第２の駆動手段と、少なくとも前記第１、第２の駆動手段の駆動を制御する駆動手段制御部とを具備し、前記駆動手段制御部が前記第１の駆動手段と前記第２の駆動手段とを駆動することで、前記風向変更羽根が所定の運転位置へと移動する場合、前記風向変更羽根が基準とする基準位置へ移動した後、前記所定の運転位置へと移動する
こととしたので、
事前の運転状態に拘らず、風向変更羽根を所定の運転位置へと移動することができる。
【００２０】
その結果、より高度な快適性を向上した気流を実現することができる。
【００２１】
第２の発明は、基準位置を、腕部と風向変更羽根とが当接する位置としたものである。
【００２２】
本構成のように、各動作に共通した基準位置を設けることで、各運転動作間の移動を円滑に行うことができ、運転条件切替え時の風向変更羽根の移動時間を短くすることが可能となる。
【００２３】
第３の発明は、基準位置を、吹出口に設けた第１の当て部と風向変更羽根とが当接する位置としたものである。
【００２４】
本構成とすることで、最終設定される風向変更羽根の設置位置に近い場所で位置決めできるため、最終的な風向変更羽根が到達する位置が安定する。
【００２５】
（実施の形態１）
図１は、本発明の実施の形態１における空気調和機の室内機の横断面図、図２は同空気調和機の室内機の正面図である。
【００２６】
空気調和機の室内機１０は、その本体内部に熱交換器１と、送風ファン２と、水受け皿３と、ディフューザー４とを有している。熱交換器１は、後述する風回路において、送風ファン２の上流側に配置され、水受け皿３は、熱交換器１の下端部側に配置している。ディフューザー４は、後述する風回路において、送風ファン２の下流側の通風路を形成している。
【００２７】
空気調和機の室内機１０は、その本体の前面上部と上面に吸込口５を形成し、その本体の前面下部から下面にかけて吹出口６を形成している。熱交換器１は、吸込口５に対向する位置に配置され、ディフューザー４の下流側端部によって囲まれる仮想面が吹出口６を構成する。
【００２８】
ここで吹出口６は、その上端６ｈが下端６ｂよりも前方側に位置するように構成されている。
【００２９】
空気調和機の室内機１０は、前面の吸込口５を開閉するパネル２０と、吹出口６を開閉する風向変更羽根３０と、前面の吸込口５の吹出口６側で開閉する中羽根４０とを備えている。
【００３０】
風向変更羽根３０は１枚で構成されており、一端部３０ａから他端部３０ｂにかけて孤を描く横断面形状で湾曲形状あるいは略湾曲形状であり、一方の面は湾曲凹面が形成され、他方の面は湾曲凸面が形成されている。
【００３１】
パネル２０、風向変更羽根３０、及び中羽根４０が全て閉塞した状態では、中羽根４０の少なくとも上端側はパネル２０によって覆われ、中羽根４０の少なくとも下端側は風向変更羽根３０によって覆われる。
【００３２】
また、中羽根４０は、開状態では、パネル２０の下端側から吸込口５に流入する空気を阻止する。風向変更羽根３０が閉塞した状態では、風向変更羽根３０の一端部３０ａは、吹出口６の下端６ｂと当接または略当接する。
【００３３】
腕部３１は、その一端側を空気調和機の室内機１０の本体内に回動自在に保持され、その他端側に風向変更羽根３０を回動自在に保持している。
【００３４】
なお、腕部３１は、図１に示すように、溝部３１ａと腕部材３１ｂとで構成することが望ましい。
【００３５】
腕部材３１ｂの一端側は、空気調和機の室内機１０の吹出口６近傍に設けた溝部３１ａ内で回動自在に保持されている。そして腕部材３１ｂの他端側は、風向変更羽根３０を回動自在に保持している。
【００３６】
風向変更羽根３０は、閉塞時に空気調和機の室内機１０の本体側となる裏面に回転支持部３２を形成している。腕部材３１ｂの他端側とこの回転支持部３２とが回動自在に連結されている。
【００３７】
腕部３１は、図２に示すように、空気調和機の室内機１０の本体の両側部に設けられ、それぞれの腕部３１は、連結棒３３によって連結されている。また、一方の腕部３１の側部には第１の駆動手段である腕部用モータ３４が配置されている。
【００３８】
腕部用モータ３４の回動は、一方の腕部３１だけでなく、連結棒３３によって他方に配置された腕部３１にも伝達される。一方の腕部３１の側部には第２の駆動手段である羽根用モータ３５も配置されている。羽根用モータ３５は、駆動伝達機構（図示せず）によって、その回転を腕部材３１ｂの他端側と回転支持部３２との回動支点に伝達し、腕部３１に対して風向変更羽根３０を回動させる。
【００３９】
なお、風向変更羽根３０の回動は、吹出口６の外側、いわゆる前方に腕部材３１ｂの他端側と回転支持部３２との回動支点を配置させた状態で、前記風向変更羽根３０を回動させる。
【００４０】
回転支持部３２は、図２に示すように、風向変更羽根３０の両端部から所定寸法を有して風向変更羽根３０の裏面の両側部に設けられている。なお、図２では、一対の回転支持部３２を示しているが、風向変更羽根３０の長さに応じて一対の回転支持部３２の間に更に他の回転支持部３２を設けてもよい。
【００４１】
中羽根駆動機構４１は、中羽根４０の背面側に設けられ、吸込口５を開閉するように中羽根４０を動作する。中羽根駆動機構４１とパネル駆動機構２１との動作タイミングは、動作制御部（図示せず）によって制御される。また、この動作制御部は駆動手段制御部も含んでおり、腕部用モータ３４及び羽根用モータ３５の駆動も行う。
【００４２】
以上の構成をした空気調和機の室内機１０に対する制御について図３から図９を用いて説明する。
【００４３】
まず、図３に空気調和機の室内機１０の風向変更羽根３０の制御概念を表す制御フローを示す。
【００４４】
そして、図４から図９には、上記図１、図２を用いて説明した空気調和機の室内機１０の吹出口６近傍の要部拡大図を示す。
【００４５】
最初に、基本的な運転モードの説明として「暖房運転」の場合を例に挙げながら、風向変更羽根３０の動きを図３から図６を用いて説明する。
【００４６】
図４は、室内機１０の停止状態を表している。
【００４７】
図に示すように、吹出口６の下端６ｂ近傍には、第１の当て部として当てリブ５０を設けており、この当てリブ５０と風向変更羽根３０の一端部３０ａが当接することにより、風向変更羽根３０の位置決めがなされた状態で、吹出口６が閉じられている。
【００４８】
この状態で、図示しない遠隔操作装置などにより、使用者から空気調和機に対して「暖房運転」を行うよう指示される（図３中、「運転開始」）。
【００４９】
空気調和機は、この運転指令を受け、室内機１０に設けた動作制御部からの指示により
、「暖房運転」に応じた位置に向けて風向変更羽根３０を移動させる。
【００５０】
そのとき、最初に行う動作は、風向変更羽根３０が基準位置にいることの確認動作である（図３中、Ｓ１。以下同じ）。
【００５１】
本実施の形態１では、図５に示すように、風向変更羽根３０の一端部３０ａが腕部材３１ｂと当接する位置を基準位置としている。
【００５２】
この一端部３０ａが腕部材３１ｂと当接したことは、動作制御部が検知する、あるいは、当接するに充分な羽根用モータ（３５、図３から図９には図示せず。以下同じ）の移動を行うことで実現できる。
【００５３】
その後、図４の停止状態から、腕部用モータ（３４、図３から図９には図示せず。以下同じ）の駆動力により、溝部３１ａに沿って腕部材３１ｂが移動し、図５から図６に掛けて風向変更羽根３０が羽根用モータの駆動力により、図面上反時計回りに回動することで、「暖房運転」に応じた所定位置のひとつである、下吹出し位置へと移動する（Ｓ２）。
【００５４】
そして、空気調和機は、使用者の指示した空調条件を満たすように暖房運転を行う。
【００５５】
その後、使用者の指示や、タイマー設定を用いた運転など、空気調和機が停止する場合は、上述した図４から図６の流れとは逆、すなわち、図６から図４の流れに基づき、空気調和機が停止状態へと戻る。
【００５６】
すなわち、図３の概念を表す制御フローを用いて説明すると、Ｓ２の「暖房運転」状態から特段の変更がない（図３中、Ｓ３の“Ｎｏ”）ため、停止動作に移る。
【００５７】
このとき、図６から図５へ向けて、風向変更羽根３０が羽根用モータの駆動力により、図面上時計回りに回動する。
【００５８】
そして、図５に示すように、風向変更羽根３０の一端部３０ａが腕部材３１ｂに当接し、基準位置に戻ったことを確認する（Ｓ６）。
【００５９】
その後、羽根用モータ、腕部用モータを駆動させることにより、当てリブ５０と風向変更羽根３０の一端部３０ａが当接する位置、つまり図４に示す停止位置へと戻ってくる（Ｓ７）。
【００６０】
以上が、通常使われる運転モードを実現する際の一連の動作である。
【００６１】
なお、「冷房運転」であれば、図６に示した風向変更羽根３０の向きが「冷房運転」に適した位置となるだけであり、基本的な動きは、上述した動作を踏襲することになる。
【００６２】
また、本実施の形態１では、基準位置を風向変更羽根３０の一端部３０ａと腕部材３１ｂが当接する位置としたが、この位置に固執することなく、室内機１０の吹出口６近傍を構成する部材の形状により、他の位置に置き換えることが可能であることはいうまでもない。
【００６３】
このように、風向変更羽根３０を駆動する腕部３１を設けるという複雑な機構で、腕部材３１ｂを駆動するという複雑な動作を行う場合であっても、空気調和機の運転開始時と停止時において、風向変更羽根３０が基準位置にいることを確認することで、風向変更羽根３０を各運転状態に応じた所定の位置に精度よく移動させることが可能となる。
【００６４】
その結果、細やかな気流を創造することが可能となり、より快適な空調を提供することができる。
【００６５】
なお、上記した動作を用いれば、空気調和機を稼動中に、使用者が手を用いて任意に風向変更羽根３０の向きを変更した場合でも、運転停止時に基準位置を通ることにより、使用者から加えられた変更分をリセットすることができ、次回使用時には、なんら支障をきたすこともない。
【００６６】
（実施の形態２）
次に、図３を用いて実施の形態２について説明する。
【００６７】
その内容は、図３中、Ｓ３からＳ５を中心とした動作に関するものである。
【００６８】
例えば、実施の形態１にて説明したように、Ｓ１からＳ３の動作を経て、「冷房運転」を行っている空気調和機に対し、風向変更羽根３０の風向角度を変更するような指示がなされたとする（Ｓ３の“Ｙｅｓ”からＳ４の“Ｙｅｓ”）。
【００６９】
このときには、風向変更羽根３０が角度を変更すだけなので、基準位置へ移動することなく、指示された角度への回動を行うのみである。
【００７０】
同様に、「冷房運転」を行っている空気調和機に対し、「送風運転」への切替指示がなされた場合は、つぎのようになる（Ｓ３の“Ｙｅｓ”からＳ４の“Ｎｏ”）。
【００７１】
つまり、動作制御部には、運転モードごとに風向変更羽根３０が位置する所定角度を定めたデータテーブルが格納されている。
【００７２】
そして、上述した切替指示に応じて、「冷房運転」と「送風運転」とで使用するデータテーブルを比較するというものである。
【００７３】
その結果、「冷房運転」と「送風運転」とでこのデータテーブルを共用するようであれば、図３中、Ｓ２に進み、基準位置を経ることなく「送風運転」に切り替わるとともに、必要とされる位置を実現する角度に風向変更羽根３０が移動する。
【００７４】
また、「冷房運転」から「暖房運転」への切替指示がなされた場合には、つぎのようになる。
【００７５】
つまり、「冷房運転」と「暖房運転」とは、冷たい空気と暖かい空気を制御することの違いから、風向変更羽根３０の向きが天井方向を中心とした角度と、居室壁面から床面への吹出しを中心とした角度という異なるデータテーブルを使用することにしている。
【００７６】
従って、図３中、Ｓ５に示す「風向テーブルの変更」が必要となる。
【００７７】
このような場合には、風向変更羽根３０が大きく移動することになるため、一度、基準位置へと移動した後、「暖房運転」として指示された気流を創造する位置へと風向変更羽根３０を移動させることになる。
【００７８】
以上のごとく、必要とする風向変更羽根３０の移動量とその内容に応じて、基準位置を経由する場合と、基準位置を経由しない場合とを切替えることにより、一方で、スピーディな風向変更羽根３０の移動を実現しつつ、他方で、風向変更羽根３０の精度よい移動を
実現することができる。
【００７９】
その結果、速やかに気流が変更できるという、使用者にとって使い心地のよい空調を実現するとともに、細やかな気流を創造することが可能となり、さらに快適な空調を提供することができる。
【００８０】
（実施の形態３）
次に、図７から図９を用いて、本実施の形態３が実現できる快適気流の詳細について説明する。
【００８１】
まず、第１の気流として、クリーニング運転がある。
【００８２】
このクリーニング運転は、例えば、冷房運転終了後、次のような動作を繰り返すことで熱交換器１をきれいにするというものである。
【００８３】
すなわち、冷房運転により結露した熱交換器１に対して、ドライ運転、暖房運転、送風運転を順次繰り返すことにより、熱交換器１を乾燥させるというものである。
【００８４】
このクリーニング運転時の注意点としては、冷房運転を行うことで冷却した居室内の温度を上げることなく、暖房運転を行うことにある。
【００８５】
この目的を達成するために、クリーニング運転を実現する手順は、次のようになる。
【００８６】
なお、風向変更羽根３０が停止状態あるいは冷房運転状態から基準位置へと移動する動作については、実施の形態１と同様のため、その説明は、実施の形態１の記載内容を援用する。
【００８７】
そして、基準位置を経由した風向変更羽根３０は、図５から図７の状態へと移動するために、当てリブ５０に対して風向変更羽根３０の一端部３０ａを当接させることで、位置決めを行う。
【００８８】
その後、この位置決めに基づき、風向変更羽根３０の他端部３０ｂが吹出口６の上端６ｈから所定の距離ｈ１を取ることで、クリーニング運転に必要となる風の流れ７０を構築することができる。
【００８９】
具体的には、風向変更羽根３０の一端部３０ａが吹出口６に設けた当てリブ５０と当接することにより、室内機１０から居室方向へと流れる風の流れが発生することを防止している。
【００９０】
そして、風向変更羽根３０の他端部３０ｂが、吹出口６の上端６ｈから所定の距離ｈ１を取るとともに、図１に記載したパネル２０の吹出口６側のみを開口することで、前面の吸込口５から熱交換器１へと導く風の流れ（図示せず）、いわゆるショートサーキットを構築する。
【００９１】
このように、吹出口６から前面の吸込口５へと流れる風の流れを実現することにより、クリーニング運転の一環として暖房運転を行ったとしても、上記した風の流れから居室内へと暖かい空気が漏れることを抑制できるため、居室内の温度をあげることなく、熱交換器１の乾燥ができるというものである。
【００９２】
なお、風向変更羽根３０を、腕部３１を用いて制御するという複雑な構造でありながら
、本願出願人は、この制御を用いることで、ｈ１の寸法を１５ｍｍ±１０％程度という高精度な制御を実現しており、居室内の室温を上げることなく、熱交換器１をクリーニングするという快適性の向上を果たしている。
【００９３】
なお、望ましくは、図示していないが、室内機１０の背面側などから居室の壁面に設けた室外機との連通穴などを介して排気を行う風の流れを構築すれば、より居室内の清潔度は高い状態で保たれることになる。
【００９４】
なお、上述した内容は、上記詳細に囚われることなく、同様の効果を得ることができれば、位置決めの位置などは他の場所でもよい。
【００９５】
また、クリーニング運転も除湿（ドライ）運転後や、任意操作により起動してもよい。
【００９６】
次に第２の気流として、天井方向へと吹出す、天井気流運転がある。
【００９７】
この天井気流運転は、例えば、冷房運転時において、居室内の急速冷却が終了した後、室温が安定した状態で、使用者に直接風を当てることなく、室温を維持する際に用いるものである。
【００９８】
以下、図８を用いて説明する。
【００９９】
なお、上記説明と同様、基準位置までの動作については、実施の形態１に記載の内容を援用する。
【０１００】
図８に示すように、基準位置を経た風向変更羽根３０は、略水平となる角度へと回動した後、吹出口６の下端６ｂと風向変更羽根３０との位置関係が、所定の寸法ｈ２、ｈ３を実現する位置へと移動する。
【０１０１】
上述したように、風向変更羽根３０は、一端部３０ａから他端部３０ｂにかけて孤を描く横断面形状で湾曲形状を形成しているため、以上の構成で、つぎのような風の流れを構築することができる。
【０１０２】
すなわち、吹出口６から流れ出す風の流れ７１は、風向変更羽根３０の形状に沿って、室内機１０に対してやや上方、つまり天井方向への風の流れ７１を構築することができる。
【０１０３】
このとき、吹出口６の下端６ｂと風向変更羽根３０との位置関係において、所定の寸法ｈ２、ｈ３を確保することで、吹出口６から、本体下部４ａと風向変更羽根３０の一端部３０ａとの間を流れる風の流れ７４をも構築することができる。
【０１０４】
この風の流れ７４を創り出す目的としては、本体下部４ａでの結露の発生防止にある。
【０１０５】
つまり、吹出口６の下端６ｂと風向変更羽根３０の一端部３０ａとを隙間なく閉じることは、現実のものづくりにおいて、非常な困難を伴う。
【０１０６】
この現実を省みず、実使用状態において、吹出口６の下端６ｂと風向変更羽根３０の一端部３０ａとを当接する仕様とした場合、ものづくり上、発生する隙間から漏れ出した風の流れにより、本体下部４ａに結露が生じることになる。
【０１０７】
従って、天井方向へと流れる主たる風の流れ７１を充分確保するとともに、本体下部４
ａに結露が生じない程度の風の流れ７４を創り出す必要がある。
【０１０８】
このような理由により、本願出願人が実験して導き出した結果が、ｈ２、ｈ３の寸法が４ｍｍ、というものである。
【０１０９】
すなわち、本願出願人は、風向変更羽根３０を、腕部３１を用いて制御するという複雑な構造でありながら、本実施の形態３に示したこの制御を用いることで、ｈ２、ｈ３の寸法を４ｍｍ程度に収めるという高精度な制御を実現しており、本体下部４ａに結露を生じることなく、安定した室温維持を行うという、快適な気流を実現している。
【０１１０】
次に、第３の気流として、ある条件を満たす場合に使用する、この天井気流運転の派生運転（結露防止天井気流運転）を説明する。
【０１１１】
例えば、梅雨時など、相対湿度が高い場合に、第２の気流である天井気流運転のみを続けた場合、風向変更羽根の下面３０ｃ（反回転支持部３２側）に結露が生じる恐れがある。
【０１１２】
そこで、風向変更羽根の下面３０ｃに風を当てることで、第２の気流で実現した居室内の温度を維持しつつ、結露の発生を防止する、という気流を創出する。
【０１１３】
つまり、図８に示した天井気流運転位置から、図９に示す結露防止天井気流運転位置へと風向変更羽根３０を移動させることで、この気流を実現するというものである。
【０１１４】
具体的には、図示していないが、室内機１０などに設けたセンサーを用い、居室内の温度と相対湿度を測定し、各々が一定時間所定値以上（または、以下）であることを検知した場合、この結露防止天井気流運転を行うようにしている。
【０１１５】
この気流を実施する際の注意点は、主たる風の流れ７３の風量をあまり低減することなく、風向変更羽根の下面３０ｃに結露を生じない程度の風量を確保した風の流れ７４を構築することにある。
【０１１６】
本願出願人は、風向変更羽根３０を駆動する手段である、腕部３１を製造する上で発生するばらつきを考慮して、実験を繰り返した結果、図９に示す寸法ｈ４を５ｍｍとすれば、よいことを確認した。
【０１１７】
しかしながら、この５ｍｍという寸法を精度よく実現するために、次のような制御を必要とする。
【０１１８】
すなわち、図８に示す天井気流位置から図９に示す結露防止天井気流位置へと風向変更羽根を移動させる場合、風向変更羽根３０の角度を回動させることのみで実現するのではなく、一度、図５に示す基準位置を経るというものである。
【０１１９】
そして、溝部３１ａの近傍に設けた第２の当て部であるふところ部５１に対し、風向変更羽根３０の一端部３０ａを当接することで位置決めを行い、上記気流を創造する位置へと風向変更羽根３０を移動させるというものである。
【０１２０】
このような構成を実現することにより、居室内の温度を維持するための天井気流運転において、居室内が所定の条件を満たすことになっても、風向変更羽根の下面３０ｃを結露させない結露防止天井気流運転を創造することができ、引き続き快適な気流を得ることができるというものである。
【０１２１】
なお、風向変更羽根３０を駆動する腕部３１の製造上発生するばらつきや、制御の精度を向上させることで、図５に示した基準位置を経ることなく、図８から図９に位置決めに直接移行することも可能となる。
【０１２２】
また、上記実施の形態にて示した詳細寸法は、本願出願人が開発した空気調和機において有効な寸法であり、吹出口６の形状や、風向変更羽根３０の大きさや取付位置などによっては、上記寸法以外でも有効となる寸法が存在することはいうまでもない。
【産業上の利用可能性】
【０１２３】
以上のように、本発明にかかる空気調和機は壁掛け用の空気調和機だけでなく、天井埋め込み型の空気調和機でも同様の効果を得ることができる。
【図面の簡単な説明】
【０１２４】
【図１】本発明の実施の形態１における空気調和機の室内機の断面図
【図２】本発明の実施の形態１における空気調和機の室内機の正面図
【図３】本発明の実施の形態１における風向変更羽根の制御概念を表す制御フローチャート
【図４】本発明の実施の形態１の吹出口近傍の要部を拡大した断面図
【図５】本発明の実施の形態１の吹出口近傍の要部を拡大した断面図
【図６】本発明の実施の形態１の吹出口近傍の要部を拡大した断面図
【図７】本発明の実施の形態３の吹出口近傍の要部を拡大した断面図
【図８】本発明の実施の形態３の吹出口近傍の要部を拡大した断面図
【図９】本発明の実施の形態３の吹出口近傍の要部を拡大した断面図
【符号の説明】
【０１２５】
６    吹出口
３０    風向変更羽根
３１    腕部
３４    腕部用モータ（第１の駆動手段）
３５    羽根用モータ（第２の駆動手段）
５０    当てリブ（第１の当て部）
【図１】
2008122003.tif 000003
【図２】
2008122003.tif 000004
【図３】
2008122003.tif 000005
【図４】
2008122003.tif 000006
【図５】
2008122003.tif 000007
【図６】
2008122003.tif 000008
【図７】
2008122003.tif 000009
【図８】
2008122003.tif 000010
【図９】
2008122003.tif 000011